(57)【要約】      （修正有）【課題】基板の固定作業が容易にかつばらつきなく行われ、基板をガタのないように固定できる基板の取付構造を提供する。【解決手段】基板押さえ部１ａは、立上り部１ｂと立上り部１ｂから基準面１ｆと平行方向に延びる折曲げ部１ｃとで形成されており、折曲げ部１ｃには基準面１ｆ方向に延びる凸部１ｅが形成されており、凸部１ｅの頂上から基準面１ｆの延長面に至る距離は基板２の厚さより小さく、凸部１ｅを除く折曲げ部１ｃの基準面１ｆ側の縁から基準面１ｆの延長面に至る距離は基板２の厚さより大きく形成されており、凸部１ｅの頂上は折曲げ部１ｃの折曲げ方向と逆方向に予め折曲げられており、基板２を基準面１ｆに載置し、折曲げ部１ｃを基板側２に折曲げて凸部１ｅの頂上が弾性変形した後、弾性変形前の方向に戻って基板２に設けられた穴に突入し、基板２が凸部１ｅと基準面１ｆとで弾力的に挾持される。【選択図】        図１
2005064209.tif 000002
【特許請求の範囲】
【請求項１】
基板を取付けた状態で基板の表面または裏面と当接し基板の取付位置を決める基準面と、前記基準面よりも基板側に逆Ｌ字形状に突出した基板押さえ部とを備えた取付金具を用いて基板を固定する基板の取付構造において、前記基板押さえ部は、立上り部とこの立上り部から前記基準面と平行方向に延びる折曲げ部とで形成されており、前記折曲げ部には前記基準面方向に延びる凸部が形成されており、前記凸部の頂上から前記基準面の延長面に至る距離は前記基板の厚さより小さく、前記凸部を除く前記折曲げ部の前記基準面側の縁から前記基準面の延長面に至る距離は前記基板の厚さより大きく形成されており、前記凸部の頂上は前記折曲げ部の折曲げ方向と逆方向に予め折曲げられており、前記基板を前記基準面に載置し、前記折曲げ部を前記基板側に折曲げて前記凸部の頂上が弾性変形した後、弾性変形前の方向に戻って前記基板に設けられた穴に突入し、前記基板が前記凸部と前記基準面とで弾力的に挾持されることを特徴とする基板の取付構造。    
【請求項２】
前記折曲げ部には２つの切込みに挟まれるようにして前記凸部が形成さている請求項１の基板の取付構造。
【発明の詳細な説明】
【技術分野】
【０００１】
この発明は基板の取付構造に係わり、特に、基板の取付作業が正確に行われ、基板をガタのない状態に固定することが可能な基板の取付構造に関する。
【背景技術】
【０００２】
従来の基板の取付構造の例を図４〜図７により説明する。図４に示す取付金具３は、図６に詳しく示す基板押さえ部３ａが形成されている。基板押さえ部３ａは立上り部３ｂから折曲げ部３ｃが横方向に延びるようにＬ字形に形成されている。基板押さえ部３ａは図４に示すように最初の形状は平面状であり、基板２が取付金具３の縁に合わせられた後、図５および図６に示すように折曲げ部３ｃが基板２を押さえる位置に折曲げられる。
【０００３】
折曲げ部３ｃを基板２に干渉することなく折曲げを可能とするためには、図７に示すように、折曲げ部３ｃの縁と取付金具３の縁との間隔Ｌは基板２の厚さＴよりも大きくしなければならない。
【０００４】
上記した従来の基板の取付構造では基板２と折曲げ部３ｃの縁と取付金具３の縁との間に隙間が生じるため、基板２が取付けられた状態でガタが生じるという問題があった。また、折曲げ部３ｃを折曲げる角度が明確に規定されず、曲げすぎたり、曲げが足りなかったりするという問題があった。曲げが足りない場合は、基板２が外れやすくなり、曲げすぎた場合は折曲げ部３ｃが基板の導電パターンと接触する恐れがある。
【０００５】
実開平２−６７６８５号公報に提案された板状体の取付構造では取付部材に板状体支持面より立上る立上り部と、立上り部より板状体支持面と平行方向に延びる屈曲部と、屈曲部から板状体支持面方向に延びる押さえ部が形成されている。
【０００６】
屈曲部の縁と板状体支持面との間隔は板状体の厚みより大きく、押さえ部先端と板状体支持面との間隔は板状体の厚みより小さく形成されている。板状体を板状体支持面に当接させた状態で、屈曲部を折曲げると押さえ部が板状体に押されて変形し、押さえ部と板状体支持面との間に板状体が隙間なく挾持される。
【０００７】
この板状体の取付構造では屈曲部と押さえ部は予め曲げられることなく平面状に形成されているので、押さえ部が板状体に押されて変形するときに押さえ部が板状体に対して直角に当たり摩擦抵抗が大きく曲げにくいという問題があった。また、押さえ部の長さを長くしにくいため、押さえ部の曲げに対する抵抗が大きくなりりすぎるという問題も発生する。さらに、屈曲部を折曲げる角度が明確に規定されず、曲げすぎたり、曲げが足りなかったりするという問題があった。
【特許文献１】実開平２−６７６８５号公報
【発明の開示】
【発明が解決しようとする課題】
【０００８】
この発明は上記した点に鑑みてなされたものであって、その目的とするところは、基板の固定作業が容易にかつばらつきなく行われ、基板をガタのないように固定できる基板の取付構造を提供することにある。
【課題を解決するための手段】
【０００９】
この発明の基板の取付構造は、基板を取付けた状態で基板の表面または裏面と当接し基板の取付位置を決める基準面と、前記基準面よりも基板側に逆Ｌ字形状に突出した基板押さえ部とを備えた取付金具を用いて基板を固定する基板の取付構造において、前記基板押さえ部は、立上り部とこの立上り部から前記基準面と平行方向に延びる折曲げ部とで形成されており、前記折曲げ部には前記基準面方向に延びる凸部が形成されており、前記凸部の頂上から前記基準面の延長面に至る距離は前記基板の厚さより小さく、前記凸部を除く前記折曲げ部の前記基準面側の縁から前記基準面の延長面に至る距離は前記基板の厚さより大きく形成されており、前記凸部の頂上は前記折曲げ部の折曲げ方向と逆方向に予め折曲げられており、前記基板を前記基準面に載置し、前記折曲げ部を前記基板側に折曲げて前記凸部の頂上が弾性変形した後、弾性変形前の方向に戻って前記基板に設けられた穴に突入し、前記基板が前記凸部と前記基準面とで弾力的に挾持されるように構成したものである。
【００１０】
また、前記基板の取付構造において、前記折曲げ部に２つの切込みに挟まれるようにして前記凸部が形成さているものである。
【発明の効果】
【００１１】
この発明の基板の取付構造によれば、基板は取付金具の基準面と凸部とにより圧接状態で挾持されるので基板をガタなく固定することができる。また、取付金具の折曲げ部を曲げるとき折曲げ部の凸部は基板に押されて変形するが、凸部の先端部が基板に押される方向に傾斜しているので、摩擦係数が小さく、容易に変形し折曲げ部の折曲げ作業が容易である。
【００１２】
さらに、折曲げ部は凸部が基板の穴に突入するまで曲げるので曲げる位置が確定し、作業のばらつきが発生しない。
【発明を実施するための最良の形態】
【００１３】
以下この発明を実施するための最良の形態を実施例に即して説明する。
【実施例１】
【００１４】
図１はこの発明の実施例である基板の取付構造に用いられる取付金具を示す部分平面図、図２は同取付金具を示す部分斜視図、図３は同基板の取付構造を示す部分斜視図である。図１に示す取付金具１には基板２と当接する基準面１ｆが形成されており、さらに、基準面１ｆより立上る基板押さえ部１ａが形成されている。
【００１５】
基板押さえ部１ａは図１および図２で折曲げられた状態に描かれているが、基板２を取付ける前の状態では立上り部１ｂと折曲げ部１ｃは平面状態で連なっている。基板押さえ部１ａは概ねＬ字形に形成されており、立上り部１ｂから基準面１ｆと平行方向に折曲げ部１ｃが延びている。折曲げ部１ｃの基準面１ｆ側には切込み１ｄ，１ｄが形成されており、切込み１ｄ，１ｄの間に凸部１ｅが形成されている。
【００１６】
折曲げ部１ｃの基準面１ｆ側の縁から基準面１ｆの延長面に至る距離Ａは基板２の厚さＴより大きく、凸部１ｅの先端から基準面１ｆの延長面に至る距離Ｂは基板２の厚さＴより小さい。凸部１ｅの先端は図２に示すように、折曲げ部１ｃの折曲げ方向と反対方向に角度αで傾斜するように予め折曲げられている。
【００１７】
このように形成された取付金具１の基準面１ｆに基板２の面を当接させ、折曲げ部１ｃを基板２方向に折曲げると、凸部１ｅの先端が基板２に押され一旦弾性変形した後に変形状態がやや戻り、凸部１ｅが図３に示すように基板２の穴２ａに突入した状態となる。この状態では基板２は取付金具１の基準面１ｆと凸部１ｅとにより圧接状態で挾持されるので基板２をガタなく固定することができる。
【００１８】
折曲げ部１ｃを曲げるとき凸部１ｅは基板２に押されて変形するが、凸部１ｅの先端部が基板２に押される方向に傾斜しているので、摩擦係数が小さく、また、凸部１ｅは切込み１ｄ，１ｄの間の長い梁となっているので容易に変形し折曲げ部１ｃを容易に折曲げることができる。
【００１９】
凸部１ｅを長くしているが、折曲げ部１ｃの切込み１ｄ，１ｄを除く部分の幅が広いので折曲げ部１ｃを掴みやすく、曲げ作業が容易となる。折曲げ部１ｃは凸部１ｅが基板２の穴２ａに突入するまで曲げるので曲げる位置が確定し、作業のばらつきが発生しない。
【図面の簡単な説明】
【００２０】
【図１】この発明の実施例である基板の取付構造に用いられる取付金具を示す部分平面図である。
【図２】同取付金具を示す部分斜視図である。
【図３】同基板の取付構造を示す部分斜視図である。
【図４】従来の基板の取付構造の例を示す分解斜視図である。
【図５】同基板の取付構造を示す斜視図である。
【図６】同基板の取付構造を示す部分斜視図である。
【図７】同基板の取付構造を示す部分平面図である。
【符号の説明】
【００２１】
１  取付金具、１ａ  基板押さえ部、１ｂ  立上り部、１ｃ  折曲げ部、１ｄ  切込み  １ｅ  凸部、１ｆ  基準面
２  基板、２ａ  穴
３  取付金具、３ａ  基板押さえ部、３ｂ  立上り部、３ｃ  折曲げ部
【図１】
2005064209.tif 000003
【図２】
2005064209.tif 000004
【図３】
2005064209.tif 000005
【図４】
2005064209.tif 000006
【図５】
2005064209.tif 000007
【図６】
2005064209.tif 000008
【図７】
2005064209.tif 000009